(57)【要約】【課題】既存住宅等の建築物における外壁の耐震強度が弱く補強し難い開口部廻りを効果的にかつ、よりよい美観で補強することができる開口部廻り耐震補強構造を提供することを目的とする。【構成】開口部縦枠材の左右両側に沿って平行に配設する縦補強柱と、開口部横枠材の上下両側に沿って平行に配設する横補強材である補強まぐさ及び補強窓台とにより、開口部周辺に方形状の補強フレームを形成し、横補強材は構造力学上ピン接合にて縦補強柱と固設し、横補強材における上下少なくともいずれか一方のピン接合部に制震ダンパーを備えることを特徴とする。【選択図】図１
2010174579.tif 000002
【特許請求の範囲】
【請求項１】
開口部縦枠材の左右両側に沿って平行に配設する縦補強柱と、開口部横枠材の上下両側に沿って平行に配設する横補強材である補強まぐさ及び補強窓台とにより、開口部周辺に方形状の補強フレームを形成し、横補強材は構造力学上ピン接合にて縦補強柱と固設し、横補強材における上下少なくともいずれか一方のピン接合部に制震ダンパーを備えることを特徴とする既存住宅の開口部廻り耐震補強構造。
【請求項２】
制震ダンパーは、横補強材における上下双方に備えることを特徴とする請求項１または請求項１に記載の耐震補強構造。
【請求項３】
縦補強柱の上端部は、建築物主要構造における横架材である軒桁及び、または胴差しに固定することを特徴とする請求項１または請求項２に記載の耐震補強構造。
【請求項４】
縦補強柱の下端部は、建築物主要構造における基礎上に備える横架材である土台に固定することを特徴とする請求項１〜請求項３のいずれか一に記載の耐震補強構造。
【請求項５】
縦補強柱の下端部は、建築物主要構造における基礎まで延出し、基礎に固定することを特徴とする請求項１〜請求項４のいずれか一に記載の耐震補強構造。
【請求項６】
制震ダンパーは、縦補強柱と、横補強材と、の各々接合部付近に設けた相互に対向するダンパー用プレートの間に弾性体を備えることを特徴とする請求項１〜請求項５のいずれか一に記載の耐震補強構造。
【請求項７】
全体を開口部廻りカバーにて被覆することを特徴とする請求項１〜請求項６のいずれか一に記載の耐震補強構造。
【請求項８】
上方横補強柱カバーは庇であることを特徴とする請求項１〜請求項７のいずれか一に記載の耐震補強構造。
【請求項９】
縦補強柱は、外壁仕上材を貫通する接合部材を介し、建築物主要構造における横架材である軒桁及び、または胴差しと固定し、既存建築物の外壁仕上材に補強フレームを固設することを特徴とする請求項１〜請求項８のいずれか一に記載の耐震補強構造。
【発明の詳細な説明】
【技術分野】
【０００１】
本発明は、住宅等の建築物における耐震補強構造に関する。
【背景技術】
【０００２】
近年、住宅等の既存建築物に対する耐震補強工事の要請が増加している。
耐震補強工事例としては、外壁にブレースや軸材等を固設する提案等がある。
耐震機能を向上させる手段としては、耐力壁を平面的にバランスよく配置するのがよい。
しかし、図１３（ａ）に示すように日本家屋であるの建築物１００では一般に南側に採光用開口部１０１を配設してある場合が多く、これに起因して南側１０２と、北側１０３と、の壁量がアンバランスになっておりその点で耐震機能が低下するという問題があった。
【０００３】
この問題を解消するために特許文献１では、図１３（ｂ）に示すように木造家屋等の一般住宅である建築物１００における窓枠等を配設した開口部１０１の外側壁面、または開口部の内周側面に固定して家屋全体に耐震性を付与するようにした一般住宅における開口部耐震補強フレーム１０４が開示された。
しかし、開口部１０１から見える景観を損ね、建築物１００自体の美観も損ねる問題があった。
【特許文献１】特開２００２−３７１６５２号公報
【発明の開示】
【発明が解決しようとする課題】
【０００４】
本発明は以上の問題点に鑑み、住宅等の既存建築物における外壁の耐震強度が弱く補強し難い開口部廻りを効果的にかつ、よりよい美観で補強することができる開口部廻り耐震補強構造を提供することを目的とする。
【課題を解決するための手段】
【０００５】
本発明である開口部廻り耐震補強構造は、開口部縦枠材の左右両側に沿って平行に配設する縦補強柱と、開口部横枠材の上下両側に沿って平行に配設する横補強材である補強まぐさ及び補強窓台とにより、開口部周辺に方形状の補強フレームを形成し、横補強材は構造力学上ピン接合にて縦補強柱と固設し、横補強材における上下少なくともいずれか一方のピン接合部に制震ダンパーを備えることを特徴とする。
【０００６】
制震ダンパーは、横補強材における上下双方に備えるのもよい。
【０００７】
縦補強柱の上端部は、建築物主要構造における横架材である軒桁及び、または胴差しに固定するのがよい。
【０００８】
縦補強柱の下端部は、建築物主要構造における基礎上に備える横架材である土台に固定するのがよく、縦補強柱の下端部を基礎まで延出し基礎に固定するのもよい。
【０００９】
制震ダンパーは、縦補強柱と、横補強材と、の各々接合部付近に設けた相互に対向するダンパー用プレートの間に弾性体を備えることのがよい。
【００１０】
全体を開口部廻りカバーにて被覆するのもよく、上方横補強柱カバーは庇であるのもよい。
【００１１】
縦補強柱は、外壁仕上材を貫通する接合部材を介し、建築物主要構造における横架材である軒桁及び、または胴差しと固定し、既存建築物の外壁仕上材に補強フレームを固設するのもよい。
【発明の効果】
【００１２】
本発明に係る開口部廻り耐震補強構造においては、住宅等の既存建築物における外壁の耐震強度が弱く補強し難い開口部廻りを効果的にかつ、開口部を介し建築物内側から見る景観を損ねることなく、開口部廻りカバーにて被覆することより開口部廻りの美観を損なうことなく、既存建築物に耐力壁を平面的にバランスよく配設するのと同等の耐震機能を実現することができるに加え、縦補強柱と、横補強材と、の各々接合部付近に設けた相互に対向するダンパー用プレートの間に地震等が原因の震動を軽減吸収する弾性体を備えることにより、制震効果を得ることができる。
【発明を実施するための最良の形態】
【００１３】
［第一の実施の形態］
図１には、開口部３を備えた既存建築物１の骨組み２に、開口部廻り耐震補強構造４を実施する例を示す。
ここに示す開口部３は、一般的にサッシ５等を備えている。
ここに示す既存建築物１の骨組み２には、既存建築物１の外壁６を部分的に切欠いた切り欠き部７が形成される。
場合によっては、外壁６を取り外した既存建築物１の骨組み２や、新規建築物（図示せず）の骨組み２に開口部廻り耐震補強構造４を実施するのもよい。
ここでは例として、一階建て既存建築物１における１つの開口部３を有する外壁６の1つの面に開口部廻り耐震補強構造４を実施する例を示すが、開口部廻り耐震補強構造４を実施する建築物及び実施箇所は限定しない。
【００１４】
図１に示すように、本発明における第一の実施の形態である開口部廻り耐震補強構造４が備える縦補強柱８は、その上端部及び下端部の各々に接合部材であるピン９を備え、開口部縦枠材１１の左右両側に沿って平行に配設する。
横補強材１０である補強まぐさ及び補強窓台は、開口部横枠材１２の上下両側に沿って平行に配設する。
縦補強柱８と、横補強材１０とは、構造力学上ピン接合にて固設し、開口部３周辺に方形状の補強フレーム１３を形成する。
該補強フレーム１３は、横補強材１０における上下少なくともいずれか一方のピン接合部１４に制震ダンパー１５を備える。
ここに示す開口部廻り耐震補強構造４は、横補強材１０における上方のみのピン接合部１４に制震ダンパー１５を備える例を示すが、図２に示すように、横補強材１０における上下双方のピン接合部１４に制震ダンパー１５を備えるのもよい。
【００１５】
図３、図４の開口部廻り耐震補強構造４の施工例に示すように、縦補強柱８の上端部は、建築物主要構造における骨組み２の横架材１６である軒桁及び、または胴差しに固定する。
図３に示すように、縦補強柱８の下端部は、建築物主要構造における基礎１８上に備える横架材１７である土台に固定する例を挙げることができる。
図４に示すように、縦補強柱８の下端部は、建築物主要構造における基礎１８まで延出し、基礎１８と、基礎１８上に備える横架材１７である土台と、各々に固定するのもよい。
図示しないが縦補強柱８の下端部は、建築物主要構造における基礎１８のみに固定するのもよい。
なお、縦補強柱８の上端部及び下端部を固定し開口部廻り耐震補強構造４を固設する際には、構造力学上ピン接合にて固設するのが良い。すなわち縦補強柱８の上端部及び下端部の各々は接合部材であるピン９を切り欠き部７に挿入して装着する。
【００１６】
図５に開口部廻り耐震補強構造４に備える制震ダンパー１５の実施例を示し、図５（ａ）は正面図を示し、図５（ｂ）は斜視図を示す。
制震ダンパー１５は、縦補強柱８と、横補強材１０と、の各々接合部付近に設けた相互に対向するダンパー用プレート１９ａ，ｂの間に弾性体２０を備える。
ここに示す制震ダンパー１５は、開口部３周辺に方形状を形成する縦補強柱８と、横補強材１０と、の接合部付近における方形状外側に、ダンパー用プレート１９ａ，ｂを設ける例を示す。
ここに示すダンパー用プレート１９ａ，ｂは、略四角形状の例を示すが、ダンパー用プレート１９ａ，ｂの形状は限定しない。
ここに示す弾性体２０は、粘性を有しダンパー用プレート１９ａ，ｂと粘着するのもよい。
ここに示す制震ダンパー１５は、縦補強柱８と、横補強材１０と、の各々接合部付近に設けた相互に対向するダンパー用プレート１９ａ，ｂの間に備える弾性体２０にて、地震等が原因の震動を軽減吸収することにより制振ダンパーとして機能する。
【００１７】
図６〜図９には、開口部３を備えた既存建築物１の骨組みに、開口部廻りカバー２１にて被覆する開口部廻り耐震補強構造４を実施する例を示す。
開口部廻り耐震補強構造４は、全体を開口部廻りカバー２１にて被覆する。
ここに示す上横補強材カバー２２は、庇である例を示すが開口部廻りカバー２１の形状及び材質は限定しない。
図７に示すように、開口部廻り耐震補強構造４は、開口部廻りカバー２１にて被覆することにより、建築物における外装を仕上げることができ、開口部３を介し建築物内側から見る景観を損ねることなく、外壁の耐震強度が弱く補強し難い開口部３廻りを効果的にかつ、よりよい美観で補強することができる。
【００１８】
開口部廻り耐震補強構造４は、既存住宅等の建築物における外壁の耐震強度が弱く補強し難い開口部３廻りを効果的にかつ、開口部３を介し建築物内側から見る景観を損ねることなく、開口部廻りカバー２１にて被覆することより開口部３廻りの美観を損なうことなく、既存建築物１に耐力壁を平面的にバランスよく配設するのと同等の耐震機能を実現することができるに加え、縦補強柱８と、横補強材１０と、の各々接合部付近に設けた相互に対向するダンパー用プレート１９の間に地震等が原因の震動を軽減吸収する弾性体２０を備えることにより、制震効果を得ることができる。
【００１９】
図１０に示すように、図１に示す実施の形態とは異なり、既存建築物１の外壁６を部分的に切欠いた切り欠き部７を形成することなく、開口部３を備えた既存建築物１の外壁仕上材２３に、開口部廻り耐震補強構造４を取り付けるようにしても良い。
ここに示す縦補強柱８は、外壁仕上材２３を貫通する接合部材であるピン９を介し、建築物主要構造における横架材１６である軒桁及び、または胴差しと固定し、開口部３を備えた既存建築物１の外壁仕上材２３に補強フレームを固設することができる。
【００２０】
図１１に示すように、ドアや勝手口等の出入り用開口部３を備えた既存建築物１に、開口部廻り耐震補強構造４を実施するのもよい。
図１２に示すように、既存建築物１の開口部３の周辺領域にのみ開口部廻り耐震補強構造４を実施するのもよい。
【図面の簡単な説明】
【００２１】
【図１】本発明における一実施の形態の開口部廻り耐震補強構造の斜視図である。
【図２】本発明における他の実施の形態の開口部廻り耐震補強構造の斜視図である。
【図３】本発明における一実施の形態の開口部廻り耐震補強構造の施工例の斜視図である。
【図４】本発明における一実施の形態の開口部廻り耐震補強構造の施工例の他の斜視図である。
【図５】（ａ）本発明における一実施の形態の開口部廻り耐震補強構造の部分拡大側面図である。（ｂ）本発明における一実施の形態の開口部廻り耐震補強構造の部分拡大斜視図である。
【図６】本発明におけるさらに他の実施の形態の開口部廻り耐震補強構造の斜視図である。
【図７】本発明におけるさらに他の実施の形態の開口部廻り耐震補強構造の他の斜視図である。
【図８】本発明におけるさらに他の実施の形態の開口部廻り耐震補強構造の他の斜視図である。
【図９】本発明におけるさらに他の実施の形態の開口部廻り耐震補強構造の部分断面図である。
【図１０】本発明における別の実施の形態の開口部廻り耐震補強構造の斜視図である。
【図１１】本発明におけるまた別の実施の形態の開口部廻り耐震補強構造の斜視図である。
【図１２】本発明におけるさらに別の実施の形態の開口部廻り耐震補強構造の斜視図である。
【図１３】（ａ）既存家屋の基本構造を示す斜視図である。（ｂ）従来の耐震補強構造を示す斜視図である。
【符号の説明】
【００２２】
１・・・建築物
２・・・骨組み
３・・・開口部
４・・・開口部廻り耐震補強構造
５・・・サッシ
６・・・外壁
７・・・切り欠き部
８・・・縦補強柱
９・・・接合部材
１０・・・横補強材
１１・・・開口部縦枠材
１２・・・開口部横枠材
１３・・・補強フレーム
１４・・・ピン接合部
１５・・・制震ダンパー
１６・・・横架材
１７・・・基礎上に備える横架材
１８・・・基礎
１９・・・ダンパー用プレート
２０・・・弾性体
２１・・・開口部廻りカバー
２２・・・上横補強材カバー
２３・・・外壁仕上材
【図１】
2010174579.tif 000003
【図２】
2010174579.tif 000004
【図３】
2010174579.tif 000005
【図４】
2010174579.tif 000006
【図５】
2010174579.tif 000007
【図６】
2010174579.tif 000008
【図７】
2010174579.tif 000009
【図８】
2010174579.tif 000010
【図９】
2010174579.tif 000011
【図１０】
2010174579.tif 000012
【図１１】
2010174579.tif 000013
【図１２】
2010174579.tif 000014
【図１３】
2010174579.tif 000015